【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
免許不要無線周波数スペクトル帯域の時間期間に信号のインスタンスを送信するための信号送信のパターンを決定することと、ここにおいて、信号送信の前記パターンは、第１のスケジューリングされた信号送信と第２のスケジューリングされた信号送信とを備える、
前記免許不要無線周波数スペクトル帯域が、前記信号の少なくとも１つのインスタンスを送信するのに利用不可能であるかどうかを決定することと、
前記免許不要無線周波数スペクトル帯域が前記信号のインスタンスを送信するのに利用不可能であると決定したことに応答して、前記時間期間のための信号送信の前記パターンを変更することと、ここにおいて、信号送信の前記パターンを前記変更することは、前記第１のスケジューリングされた信号送信と前記第２のスケジューリングされた信号送信との間にある前記免許不要無線周波数スペクトル帯域の１フレームの間に、信号送信の前記パターンにおいて追加の信号送信をスケジューリングすることを備える、
を備える、ワイヤレス通信のための方法。
【請求項２】
前記信号は、マルチキャスト制御チャネル（ＭＣＣＨ）変更通知とページングインスタンスのうちの少なくとも１つを備える、請求項１に記載の方法。
【請求項３】
信号送信の前記パターンを前記変更することは、前記免許不要無線周波数スペクトル帯域が前記信号の前記インスタンスを送信するのに利用不可能であると前記決定したことに応答して、前記免許不要無線周波数スペクトル帯域上で前記信号の前記インスタンスを送信するのに利用可能な前記時間期間中の次のフレームを特定することを備える、請求項１に記載の方法。
【請求項４】
前記免許不要無線周波数スペクトル帯域は、前記時間期間中の複数のフレームのウインドウ中の１つのフレームの間に前記信号の前記インスタンスを送信するのに利用不可能である、請求項１に記載の方法。
【請求項５】
信号送信の前記パターンを前記変更することは、前記免許不要無線周波数スペクトル帯域が前記複数のフレームの前記ウインドウ中の前記フレームの間に前記信号の前記インスタンスを送信するのに利用不可能であると前記決定すると、前記信号の前記インスタンスの送信のために前記複数のフレームの前記ウインドウ中の第２のフレームを特定することを備える、請求項４に記載の方法。
【請求項６】
前記免許不要無線周波数スペクトル帯域の前記時間期間に前記信号のインスタンスを送信するための信号送信の前記パターンを前記決定することは、
前記信号の前記インスタンスの送信を、処理負荷および／またはトラフィック負荷のうちの少なくとも１つに基づいて、前記複数のフレームの前記ウインドウ中の前記フレームの間に、最初にスケジューリングすることを備える、請求項４に記載の方法。
【請求項７】
前記複数のフレームの前記ウインドウ中の前記フレームは、前記複数のフレームの前記ウインドウ中の最初のフレーム以外である、請求項４に記載の方法。
【請求項８】
前記複数のフレームの前記ウインドウは、デバイスの複数のグループに対するスケジューリングされたページングインスタンスを備える、請求項４に記載の方法。
【請求項９】
信号送信の前記パターンを前記変更することは、
前記時間期間のための信号送信の前記パターン中のスケジューリングされた信号送信の数を増やすことと、
前記時間期間中のクリアチャネルアセスメント（ＣＣＡ）免除送信（ＣＥＴ）における信号送信を、信号送信の前記パターンに追加することと、
のうちの少なくとも１つを備える、請求項１に記載の方法。
【請求項１０】
免許不要無線周波数スペクトル帯域の時間期間に信号のインスタンスを送信するための信号送信のパターンを決定するための手段と、ここにおいて、信号送信の前記パターンは、第１のスケジューリングされた信号送信と第２のスケジューリングされた信号送信とを備える、
前記免許不要無線周波数スペクトル帯域が、前記信号の少なくとも１つのインスタンスを送信するのに利用不可能であるかどうかを決定するための手段と、
前記免許不要無線周波数スペクトル帯域が前記信号のインスタンスを送信するのに利用不可能であると決定したことに応答して、前記時間期間のための信号送信の前記パターンを変更するための手段と、ここにおいて、信号送信の前記パターンを前記変更することは、前記第１のスケジューリングされた信号送信と前記第２のスケジューリングされた信号送信との間にある前記免許不要無線周波数スペクトル帯域の１フレームの間に、信号送信の前記パターンにおいて追加の信号送信をスケジューリングすることを備える、
を備える、ワイヤレス通信のための装置。
【請求項１１】
前記信号は、マルチキャスト制御チャネル（ＭＣＣＨ）変更通知とページングインスタンスのうちの少なくとも１つを備える、請求項１０に記載の装置。
【請求項１２】
信号送信の前記パターンを前記変更することは、前記免許不要無線周波数スペクトル帯域が前記信号の前記インスタンスを送信するのに利用不可能であると前記決定したことに応答して、前記免許不要無線周波数スペクトル帯域上で前記信号の前記インスタンスを送信するのに利用可能な前記時間期間中の次のフレームを特定することを備える、請求項１０に記載の装置。
【請求項１３】
前記免許不要無線周波数スペクトル帯域は、前記時間期間中の複数のフレームのウインドウ中の１つのフレームの間に前記信号の前記インスタンスを送信するのに利用不可能である、請求項１０に記載の装置。
【請求項１４】
信号送信の前記パターンを前記変更することは、前記免許不要無線周波数スペクトル帯域が前記複数のフレームの前記ウインドウ中の前記フレームの間に前記信号の前記インスタンスを送信するのに利用不可能であると前記決定すると、前記信号の前記インスタンスの送信のために前記複数のフレームの前記ウインドウ中の第２のフレームを特定することを備える、請求項１３に記載の装置。
【請求項１５】
前記免許不要無線周波数スペクトル帯域の前記時間期間に前記信号のインスタンスを送信するための信号送信の前記パターンを前記決定することは、
前記信号の前記インスタンスの送信を、処理負荷および／またはトラフィック負荷のうちの少なくとも１つに基づいて、前記複数のフレームの前記ウインドウ中の前記フレームの間に、最初にスケジューリングすることを備える、請求項１３に記載の装置。
【請求項１６】
前記複数のフレームの前記ウインドウ中の前記フレームは、前記複数のフレームの前記ウインドウ中の最初のフレーム以外である、請求項１３に記載の装置。
【請求項１７】
前記複数のフレームの前記ウインドウは、デバイスの複数のグループに対するスケジューリングされたページングインスタンスを備える、請求項１３に記載の装置。
【請求項１８】
信号送信の前記パターンを前記変更することは、
前記時間期間のための信号送信の前記パターン中のスケジューリングされた信号送信の数を増やすことと、
前記装置が、前記時間期間中のクリアチャネルアセスメント（ＣＣＡ）免除送信（ＣＥＴ）における信号送信を、信号送信の前記パターンに追加するための手段を更に備えること、
のうちの少なくとも１つを備える、請求項１０に記載の装置。
【請求項１９】
システムにおける、ワイヤレス通信のための装置であって、
プロセッサと、
前記プロセッサと電子通信しているメモリと、
前記メモリに記憶された命令と
を備え、前記命令は、前記プロセッサによって実行されると、前記装置に
免許不要無線周波数スペクトル帯域の時間期間に信号のインスタンスを送信するための信号送信のパターンを決定することと、ここにおいて、信号送信の前記パターンは、第１のスケジューリングされた信号送信と第２のスケジューリングされた信号送信とを備える、
前記免許不要無線周波数スペクトル帯域が、前記信号の少なくとも１つのインスタンスを送信するのに利用不可能であるかどうかを決定することと、
前記免許不要無線周波数スペクトル帯域が前記信号のインスタンスを送信するのに利用不可能であると決定したことに応答して、前記時間期間のための信号送信の前記パターンを変更することと、ここにおいて、信号送信の前記パターンを前記変更することは、前記第１のスケジューリングされた信号送信と前記第２のスケジューリングされた信号送信との間にある前記免許不要無線周波数スペクトル帯域の１フレームの間に、信号送信の前記パターンにおいて追加の信号送信をスケジューリングすることを備える、
を行わせるように動作可能である、装置。
【請求項２０】
前記信号は、マルチキャスト制御チャネル（ＭＣＣＨ）変更通知とページングインスタンスのうちの少なくとも１つを備える、請求項１９に記載の装置。
【請求項２１】
信号送信の前記パターンを前記変更することは、前記免許不要無線周波数スペクトル帯域が前記信号の前記インスタンスを送信するのに利用不可能であると前記決定したことに応答して、前記免許不要無線周波数スペクトル帯域上で前記信号の前記インスタンスを送信するのに利用可能な前記時間期間中の次のフレームを特定することを備える、請求項１９に記載の装置。
【請求項２２】
前記免許不要無線周波数スペクトル帯域は、前記時間期間中の複数のフレームのウインドウ中の１つのフレームの間に前記信号の前記インスタンスを送信するのに利用不可能である、請求項１９に記載の装置。
【請求項２３】
信号送信の前記パターンを前記変更することは、前記免許不要無線周波数スペクトル帯域が前記複数のフレームの前記ウインドウ中の前記フレームの間に前記信号の前記インスタンスを送信するのに利用不可能であると前記決定すると、前記信号の前記インスタンスの送信のために前記複数のフレームの前記ウインドウ中の第２のフレームを特定することを備える、請求項２２に記載の装置。
【請求項２４】
ワイヤレス通信のためのコードを記憶した非一時的コンピュータ可読媒体であって、前記コードは、
免許不要無線周波数スペクトル帯域の時間期間に信号のインスタンスを送信するための信号送信のパターンを決定することと、ここにおいて、信号送信の前記パターンは、第１のスケジューリングされた信号送信と第２のスケジューリングされた信号送信とを備える、
前記免許不要無線周波数スペクトル帯域が、前記信号の少なくとも１つのインスタンスを送信するのに利用不可能であるかどうかを決定することと、
前記免許不要無線周波数スペクトル帯域が前記信号のインスタンスを送信するのに利用不可能であると決定したことに応答して、前記時間期間のための信号送信の前記パターンを変更することと、ここにおいて、信号送信の前記パターンを前記変更することは、前記第１のスケジューリングされた信号送信と前記第２のスケジューリングされた信号送信との間にある前記免許不要無線周波数スペクトル帯域の１フレームの間に、信号送信の前記パターンにおいて追加の信号送信をスケジューリングすることを備える、
を行うようにプロセッサによって実行可能な命令を備える、非一時的コンピュータ可読媒体。